(57)【要約】【課題】確実にケーブルを保持できるケーブルホルダを提供すること。【解決手段】ケーブルホルダ１は、平面視小判型のベースに、第１通路３、工具孔４、第２通路５、ケーブル孔６、取着孔７が穿設されている。取着孔７に左縦パイプ２２１を通して、ケーブルホルダ１を左縦パイプ２２１に取り付ける。そして、第１通路３、工具孔４、第２通路５を介して、ケーブル孔６にケーブル７３、第１通路３を介して工具孔４にドラムキー８０を保持させる。これにより、第２通路５がドラムキー８０によって塞がれ、ケーブル孔６に保持されているケーブル７３が、第２通路５を介して外部に飛び出すのが防止される。従って、確実にケーブル７３を保持できる。【選択図】図４
2014092589.tif 000002
【特許請求の範囲】
【請求項１】
ケーブルを保持するケーブルホルダであって、
ベースと、
前記ベースに穿設され前記ケーブルを保持するケーブル孔と、
前記ベースに穿設され保持物を保持する保持孔と、
前記保持孔を囲む前記ベースの外周部に形成され外部と前記保持孔との間を繋ぐ第１通路と、
前記保持孔と前記ケーブル孔との間に形成され前記保持孔と前記ケーブル孔との間を繋ぐ第２通路とを備えていることを特徴とするケーブルホルダ。
【請求項２】
前記保持孔と前記ケーブル孔との間から前記第２通路の一端側まで突出する仕切壁を備えていることを特徴とする請求項１に記載のケーブルホルダ。
【請求項３】
前記仕切壁は、前記保持孔と前記ケーブル孔との間から前記第２通路の一端側まで突出する第１仕切壁と、前記保持孔と前記ケーブル孔との間から前記第２通路の他端側まで突出する第２仕切壁とを備え、
前記第１仕切壁と前記第２仕切壁とは、前記保持孔側から前記ケーブル孔側に向かって互いに接近するように突出していることを特徴とする請求項１又は２に記載のケーブルホルダ。
【請求項４】
前記第２通路の幅は、前記第１通路の幅よりも狭く構成されていることを特徴とする請求項１から３のいずれかに記載のケーブルホルダ。
【請求項５】
前記ケーブル孔は、前記保持孔よりも大きく構成されていることを特徴とする請求項１から４のいずれかに記載のケーブルホルダ。
【請求項６】
フレームと、前記フレームに固定される一以上の電子打楽器と、その電子打楽器に接続されるケーブルとを有している電子打楽器セットのうち、前記フレームに取着される取着部を備えていることを特徴とする請求項１から５のいずれかに記載のケーブルホルダ。
【発明の詳細な説明】
【技術分野】
【０００１】
本発明は、ケーブルホルダに関し、特に、ケーブルを確実に保持できるケーブルホルダに関する。
【背景技術】
【０００２】
特許文献１には、シンバルパッド、タムパッド、ハイハットシンバル、スネアパッド等の各種電子打楽器をパイプに固着した電子楽器システムが記載されている。この電子楽器システムで使用されるパイプには、長手方向に沿って内側に窪んだ溝が形成されおり、各電子打楽器に繋がれるケーブルは、かかる溝の内部に収納されていた。
【先行技術文献】
【特許文献】
【０００３】
【特許文献１】特開２００８−１７０６４４号公報
【発明の概要】
【発明が解決しようとする課題】
【０００４】
しかしながら、各電子打楽器に繋がれるケーブルを、特許文献１に記載された方法とは別の方法で、確実に保持したい、という要望があった。
【０００５】
本発明は、上記の問題点を解決するためになされたものであり、確実にケーブルを保持できるケーブルホルダを提供することを目的とする。
【課題を解決するための手段および発明の効果】
【０００６】
請求項１記載のケーブルホルダによれば、ケーブルは、第１通路、保持孔、第２通路を介してケーブル孔に導入、保持される。保持物は、第１通路を介して保持孔に導入、保持される。よって、ケーブル孔に保持されているケーブルは、保持孔に保持されている保持物によって外部に飛び出るのが防止される。従って、確実にケーブルを保持できるという効果がある。
【０００７】
請求項２記載のケーブルホルダによれば、請求項１記載のケーブルホルダの奏する効果に加え、次の効果を奏する。即ち、保持孔とケーブル孔との間から第２通路の一端側まで突出する仕切壁を備えているので、かかる仕切壁が障害となり、ケーブル孔に保持されているケーブルが、第２通路を通過するのを抑制できる。従って、一層確実にケーブルを保持できるという効果がある。
【０００８】
請求項３記載のケーブルホルダによれば、請求項２に記載のケーブルホルダの奏する効果に加え、次の効果を奏する。即ち、保持孔とケーブル孔との間から第２通路の一端まで突出する第１仕切壁と、保持孔と前記ケーブル孔との間から第２通路の他端まで突出する第２仕切壁とは、保持孔側からケーブル孔側に向かって互いに接近するように突出している。よって、ケーブル孔に保持されているケーブルは、第１、第２仕切壁に沿って、第２通路から離れる方向にガイドされ易くなり、ケーブルが第２通路を通過するのを抑制できる。従って、一層確実にケーブルを保持できるという効果がある。
【０００９】
請求項４記載のケーブルホルダによれば、請求項１又は２に記載のケーブルホルダの奏する効果に加え、第２通路の幅は、第１通路の幅よりも狭く構成されているので、保持孔に保持されている保持物が、第２通路を介してケーブル孔に進入するのを抑制できる。よって、ケーブル孔に保持されているケーブルが外部に飛び出るのを、保持孔に保持されている保持物によって防止できる。従って、一層確実にケーブルを保持できるという効果がある。
【００１０】
請求項５記載のケーブルホルダによれば、請求項１から４のいずれかに記載のケーブルホルダの奏する効果に加え、ケーブル孔は、保持孔よりも大きいので、ケーブル孔が保持孔よりも小さい場合よりも、第１、第２通路を開き難くできる。従って、一層確実にケーブルを保持できるという効果がある。
【００１１】
請求項６記載のケーブルホルダによれば、請求項１から５のいずれかに記載のケーブルホルダの奏する効果に加え、フレームと、フレームに固定される一以上の電子打楽器と、その電子打楽器に接続されるケーブルとを有している電子打楽器セットのうち、取着部がフレームに取着される。よって、電子打楽器に接続されるケーブルをケーブル孔に保持させることで、ケーブルによって演奏が邪魔されるのを防止できるという効果がある。また、例えば、電子打楽器をフレームに固定するための工具を保持物とすれば、かかる工具とケーブルとの両方を確実に保持できるという効果がある。
【図面の簡単な説明】
【００１２】
【図１】ケーブルホルダが取り付けられる電子ドラムセットの斜視図である。
【図２】（ａ）は、接続ケーブルを示す平面図である。（ｂ）は、ドラムキーを示す平面図である。
【図３】（ａ）は、ケーブルホルダの平面図、（ｂ）は、ケーブルホルダの断面図である。
【図４】ケーブルホルダの使用方法を説明するための図である。
【図５】ケーブルホルダの変形例を示す平面図である。
【図６】工具孔で保持する物の変形例を示す斜視図である。
【発明を実施するための形態】
【００１３】
以下、本発明の好ましい実施の形態について、添付図面を参照して説明する。まず、ケーブルホルダ１が取り付けられる電子ドラムセット１０について説明する。図１は、電子ドラムセット１０の斜視図である。
【００１４】
電子ドラムセット１０は、各種パッド３１〜３８を叩くことで発生する振動をセンシングし、それに応じた電気信号を接続ケーブル７０（図２（ａ）参照）を介して音源４０へ送り、それに応じた電子音を出力するものである。
【００１５】
電子ドラムセット１０は、主に、スタンド２０と、各種パッド（スネアドラム３１、第１、第２、第３タム３２，３３，３４、ハイハット３５、クラッシュシンバル３６、ライドシンバル３７、キックパッド３８）と、音源４０と、ハイハットコントロールペダル５０と、キックペダル６０とによって構成されている。
【００１６】
スタンド２０は、各種パッド３１〜３８等を支持するものであり、中央支柱２１と、中央支柱２１の左奥方に設置される左支柱２２と、中央支柱２１の右奥方に設置される右支柱２３と、中央支柱２１と左支柱２２とを連結する左横フレーム２４と、中央支柱２１と右支柱２３とを連結する右横フレーム２５とによって構成されている。
【００１７】
中央支柱２１の上端には、スネアドラム３１が取り付けられている。左支柱２２の根本には、ハイハットコントロールペダル５０が設置されている。左支柱２２の上方には、左縦パイプ２２１が連結されている。左縦パイプ２２１には、側方に延びる３本の横パイプが連結されており、その横パイプの各々に、音源４０、ハイハット３５、第１タム３２が取り付けられている。左縦パイプ２２１の上方には、左縦ロッド２２２が連結されている。左縦ロッド２２４の上端にはクラッシュシンバル３６が取り付けられている。
【００１８】
右支柱２３の根本には、キックペダル６０が設置されている。右支柱２３の途中は、キックパッド３８が取り付けられている。右支柱２３の上方には、右縦パイプ２３１が連結されている。右縦パイプ２３１には、側方に延びる２本の横パイプが連結されており、その横パイプの各々に、第２，第３タム３３，３４が取り付けられている。右縦パイプ２３１の上方には、右縦ロッド２３２が連結されている。右縦ロッド２３２の上端にはライドシンバル３７が取り付けられている。尚、本発明のケーブルホルダ１は、左縦パイプ２２１に上下２個、右縦パイプ２３１に上下２個、合計４個、取り付けられている。
【００１９】
図２（ａ）は、接続ケーブル７０を示す平面図である。電子ドラムセット１０には、接続ケーブル７０が接続される。接続ケーブル７０は、音源４０に接続する第１端子７１と、各パッド３１〜３８、及び、ハイハットコントロールペダル５０の各々に接続する合計９個の第２端子７２と、第１端子７１と、第２端子７２とを繋ぐ９本のケーブル７３とによって構成されている。
【００２０】
ここで、図１を参照して、接続ケーブル７０を電子ドラムセットに接続する場合について説明する。接続ケーブル７０は、第１端子７１を音源４０に接続し、左縦パイプ２２１の上方に取り付けられているケーブルホルダ１に９本のケーブル７３を通す。そのうち、３本のケーブル７３に接続されている第２端子７１は、ハイハット３５、第１タム３２、クラッシュシンバル３６に接続する。
【００２１】
残り６本のケーブル７３は、左縦パイプ２２１の下方に取り付けられているケーブルホルダ１に通す。そのうち、３本のケーブル７３に接続されている第２端子７１は、ハイハットコントロールペダル５０、スネアドラム３１、キックパッド３８に接続する。
【００２２】
残り３本のケーブル７３は、右縦パイプ２３１に取り付けられている２つのケーブルホルダ１の各々に通す。３本のケーブル７３に接続されている第２端子７１は、第２タム３３、第３タム３４、ライドシンバル３７に接続する。こうして、各パッド３１〜３８、及び、ハイハットコントロールペダル５０が、接続ケーブル７０を介して音源４０に接続される。
【００２３】
図２（ｂ）は、ドラムキー８０を示す平面図である。ドラムキー８０は、電子ドラムセット１０で使用されているボルトを締め付けたり、緩めたりする専用工具である。尚、ボルトは、例えば、第１〜第３タム３２〜３４を、横パイプに締め付けるのに使われている。また、音源４０、ハイハット３５が取り付けられている横パイプを、左縦パイプ２２１に締め付けるのに使われている。
【００２４】
ドラムキー８０は、先端部８１と、本体部８２と、本体部８２の途中から側方に延びるハンドル部８３とによって構成されている。先端部８１は、外径Ｄ１の円柱状に形成されており、その内部には、電子ドラムセット１０で使用されているボルトと嵌合する嵌合孔が形成されている。よって、かかる嵌合孔とボルトとを嵌合させ、ハンドル部８３を持ってドラムキー８０を、時計回り／反時計回りに回すことで、ボルトを締め付けたり、緩めたりできる。従って、例えば、第１〜第３タム３２〜３４、音源４０、ハイハット３５の傾きを、所望の角度に調節できる。
【００２５】
このように、電子ドラムセット１０では、ドラムキー８０を使う事があるが、ドラムキー８０は、小型である上、電子ドラムセット１０とは別体なので、紛失し易い。かといって、ドラムキー８０専用のドラムキーホルダを用意するとコストが掛かる。これに対し、ケーブルホルダ１は、確実にケーブル７３を保持できる上、更に、コストを掛けずに、ドラムキー８０が紛失するのを抑制できるものである。
【００２６】
図３（ａ）は、ケーブルホルダ１の平面図、図３（ｂ）は、図３（ａ）に示すＩＩＩｂ−ＩＩＩｂ断面線におけるケーブルホルダ１の断面図である。ケーブルホルダ１は、平面視小判型のベース２に、第１通路３、工具孔４、第２通路５、ケーブル孔６、取着孔７を穿設して構成されている。
【００２７】
また、ケーブルホルダ１は、所定の弾性を有している。例えば、ケーブルホルダ１は、ＡＢＳ樹脂、ＰＰ（ポリプロピレン）、ＰＡ（ポリアミド）、ＰＣ（ポリカーボネート）などの樹脂、または、ゴム等の材料によって構成されている。これにより、ケーブル７３、ドラムキー８０の出し入れを容易にできる。
【００２８】
第１通路３は、ケーブル７３と、ドラムキー８０とをベース２の内外に出し入れする通路であり、ベース２の外周部の一部を分断して構成されている。第１通路３の幅Ｗ１は、ドラムキー８０の先端部外径Ｄ１よりも若干小さく構成されている。ドラムキー８０の先端部を第１通路３に押し当てると、第１通路３が若干拡張され、ドラムキー８０が工具孔４に導入される。尚、各ケーブル７３の外径は、第１通路３の幅Ｗ１よりも小さいので、ケーブル７３の各々も、第１通路３を介して工具孔４内に導入される。
【００２９】
工具孔４は、ドラムキー８０を保持する孔であり、第１通路３と連通し、中心Ｏ１、半径Ｒ１とする円形状に形成されている。工具孔４の直径は、ドラムキー８０の先端部外径Ｄ１と略同一であり、ドラムキー８０の本体部外径よりも小さく構成されている。よって、第１通路３を介して工具孔４に導入されたドラムキー８０は、先端部８１の周囲が工具孔４に包囲され、本体部８２がベース２上に載置され、工具孔４に保持される。
【００３０】
第２通路５は、工具孔４とケーブル孔６との間でケーブル７３を出し入れする通路であり、２つの仕切壁８，８の先端の間に形成されている。第２通路５の幅Ｗ２は、第１通路２の幅Ｗ１よりも小さく、ドラムキー８０の先端部が、第２通路５を通過するのを規制可能な大きさに構成されている。また、第２通路５の幅Ｗ２は、同時に少なくとも１本以上のケーブル７３が通過可能な大きさに構成されている。
【００３１】
よって、ドラムキー８０が第２通路５を介してケーブル孔６に進入するのを抑制できる。また、ドラムキー８０が工具孔４に保持されている場合、第２通路５はドラムキー８０によって塞がれているような状態となるので、ケーブル孔６に保持されているケーブル７３が第２通路５を介して外部に飛び出すのを防止できる。
【００３２】
ケーブル孔６は、ケーブル７３を保持する孔であり、第２通路５と連通しつつ、２つの仕切壁８，８の端部の間を、中心Ｏ２、半径Ｒ２とする円形状に繋いだ形状に形成されている。ケーブル孔６は、工具孔４よりも大きく、９本のケーブル７３を導入しても、なお、余裕がある大きさに構成されている。
【００３３】
よって、ケーブル孔６内に導入されたケーブル７３が揺れても、その揺れはケーブル孔６の内部で吸収でき、ケーブル７３が第２通路５から飛び出るのを防止できる。また、ケーブル孔６は、工具孔４よりも開口面積が大きく構成されている。よって、これが反対になる場合よりも、第１通路３、第２通路５が拡がり難くなり、ドラムキー８０、ケーブル７３が外部に飛び出すのを防止できる。
【００３４】
更に、ケーブル孔６は、２つの仕切壁８，８によって工具孔４と区画されており、２つの仕切壁８，８は、工具孔４からケーブル孔６に向かって互いに接近するように円弧状に突出している。よって、ケーブル孔６に保持されているケーブル７３は、仕切壁８，８に沿って第２通路５から遠ざかる方向にガイドされ易くなり、ケーブル７３が第２通路５から飛び出すのを一層確実に防止できる。
【００３５】
取着孔７は、左縦パイプ２２１、右縦パイプ２３１を通す孔であり、中心Ｏ３、半径Ｒ３とする円形状に形成されている。取着孔７は、左縦パイプ２２１の外径、右縦パイプ２３１の外径よりも若干大きく構成されている。そのため、取着孔７に、左縦パイプ２２１、右縦パイプ２３１を通すことで、ケーブルホルダ１自体を、左縦パイプ２２１、右縦パイプ２３１に取り付けることができる。
【００３６】
図４は、ケーブルホルダ１の使用方法を説明する図である。図４（ａ）に示すように、ケーブルホルダ１は、取着孔７に、左縦パイプ２２１（或いは、右縦パイプ２３１、以下同様）を通し、左縦パイプ２２１に取り付ける。次に、図４（ｂ）に示すように、ケーブル孔６に保持させるケーブル７３を、第１通路３、工具孔４、第２通路５を介してケーブル孔６に導入、保持させる。尚、図４（ｂ）では、複数本のケーブル７３を束ねた状態を図示している。そして、図４（ｃ）に示すように、ドラムキー８０を、第１通路３を介して工具孔４に導入、保持させる。
【００３７】
このように、ケーブルホルダ１を左縦パイプ２２１に取り付け、ケーブル孔６にケーブル７３、工具孔４にドラムキー８０を保持させることで、第２通路５がドラムキー８０によって塞がれ、ケーブル孔６に保持されているケーブル７３が、第２通路５を介して外部に飛び出すのを防止できる。従って、確実にケーブル７３を保持できる。また、ドラムキー８０を工具孔４に保持できるので、ドラムキー８０専用のホルダを用意する必要はない。よって、コストを掛けずに、ドラムキー８０が紛失する事態が発生するのを抑制できる。
【００３８】
図５は、上述したケーブルホルダ１の変形例を示す平面図である。尚、上述したケーブルホルダ１と同一の構成については、同一の符号を付し、或いは、符号を付さずに、その説明は省略する。まず、図５（ａ）〜図５（ｄ）を参照して、第１、第２、第３、第４変形例のケーブルホルダ１００，２００，３００，４００について説明する。ケーブルホルダ１００，２００，３００，４００は、上述したケーブルホルダ１に対し、取着孔７に関係する構成を変形したものである。
【００３９】
図５（ａ）に示すケーブルホルダ１００は、外部と取着孔７とを繋ぐ第３通路１０１をベース２の外周部に形成したものである。第３通路１０１の幅は、左縦パイプ２２１の外径よりも若干小さく構成されている。また、ケーブルホルダ１００には、第３通路１０１を挟むベース２の端部から、外方に向かって互いに離間する方向に突出するガイド１０２，１０２が設けられている。
【００４０】
よって、ケーブルホルダ１００を、左縦パイプ２２１に取り付ける場合には、側方からガイド１０２，１０２を左縦パイプ２２１に押し当てて押し込めば良く、外す場合には、側方から引き抜けば良い。よって、ケーブルホルダ１００は、上述したケーブルホルダ１よりも簡単に左縦パイプ２２１に着脱できる。
【００４１】
図５（ｂ）に示すケーブルホルダ２００は、上述したケーブルホルダ１よりも取着孔７を大きくしたものである。ケーブルホルダ２００の取着孔７は半径Ｒ４で構成されており、左支柱２１、右支柱２３よりも若干大きく構成されている。よって、ケーブルホルダ２００を、左支柱２１、右支柱２３に取り付けることができる。また、ケーブルホルダ１と、ケーブルホルダ２００との両方を使用することで、ケーブル７３を通す間隔の自由度を向上できる。
【００４２】
図５（ｃ）に示すケーブルホルダ３００は、取着孔７に代えて、第１通路３側とは反対側に、第１通路３側に凹む凹部３０１が形成され、その凹部３０１の内部から第１通路３側とは反対側に２つの突出壁３０２，３０２が突設されている。２つの突出壁３０２，３０２の間には、隙間が空けられており、かかる隙間とは反対側に突出する係合部３０３，３０３が、突出壁３０２，３０２の先端側に設けられている。また、係合部３０３，３０３は、先端に向かって互いに接近するように傾斜している。
【００４３】
一方、ケーブルホルダ３００が取り付けられる左縦パイプ２２１には、差込口が開口されている。かかる差込口に、突出壁３０２，３０２の先端を差し込むことで、ケーブルホルダ３００は、左縦パイプ２２１に取り付けられる。即ち、係合部３０３，３０３が、差込口の縁部によって内側に押されながら差し込まれ、その後、元の状態に復帰して差込口の縁部と係合することで取り付けられる。よって、ケーブルホルダ３００は、上述したケーブルホルダ１よりも簡単に左縦パイプ２２１に取り付けることができる。
【００４４】
図５（ｄ）に示すケーブルホルダ４００は、取着孔７の位置を変形したものである。上述したケーブルホルダ１は、工具孔４の中心Ｏ１と、ケーブル孔６の中心Ｏ２と、取着孔７の中心Ｏ３とは、同一直線上に位置している。しかし、ケーブルホルダ４００は、取着孔７の中心Ｏ３が、工具孔４の中心Ｏ１と、ケーブル孔６の中心Ｏ２とを結ぶ直線上からズレた位置に形成されている。これにより、ケーブルホルダ４００は、ベース２の長さを短くできる。よって、左縦パイプ２２１からケーブルホルダ４００が飛び出る量を制限できる。
【００４５】
次に、図５（ｅ）を参照して、第５変形例のケーブルホルダ５００について説明する。ケーブルホルダ５００は、上述したケーブルホルダ１に対し、第２通路５の位置を変形したものである。ケーブルホルダ１では、第１通路３の中心と、工具孔４の中心と、第２通路５の中心とが、同一直線上に位置している。しかし、ケーブルホルダ５００は、第２通路５の中心が、第１通路３の中心と、工具孔４の中心Ｏ１とを結ぶ直線上からズレた位置に形成されている。
【００４６】
そのため、ケーブルホルダ５００は、ケーブル孔６に保持されているケーブル７３によって、工具孔４に保持されているドラムキー８０が押されても、そのドラムキー８０が第１通路３に向かって押される力は、ケーブルホルダ１の場合よりも抑制される。よって、ドラムキー８０が工具孔４から飛び出すのを抑制できるので、ケーブル７３が外部に飛び出すのも防止できる。
【００４７】
次に、図５（ｆ）を参照して、第６変形例のケーブルホルダ６００について説明する。ケーブルホルダ６００は、上述したケーブルホルダ１に対し、ケーブル孔６の形状を変形したものである。ケーブルホルダ６００では、ケーブル孔６０１が第２通路５に連通する長孔状に形成されている。ケーブルホルダ６００は、ケーブルホルダ１が有している仕切壁８が存在せず、ケーブルホルダ１よりもケーブル７３が外部に飛び出る可能性が高くなるものの、仕切壁８が折れてしまう事はない。よって、仕切壁８が折れてしまい、ケーブルホルダが使い物にならなくなるのを防止できる。
【００４８】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００４９】
上述した実施形態では、工具孔４にドラムキー８０を保持させる場合について説明したが、工具孔４に保持させる保持物は、ドラムキー８０に限らない。少なくとも、工具孔４で保持できれば良く、第２通路５を塞げれば更に良い。例えば、図６（ａ）に示すように、第２端子７２（例えば、ハイハットコントロールペダル５０に接続される第２端子７２）を保持させても良い。また、図６（ｂ）に示すように、汎用のドライバＤ等の工具を保持させても良い。また、工具孔４に保持させる専用部品を用意しても良い。
【００５０】
上述した実施形態では、取着孔７に左縦パイプ２２１を通すことで、ケーブルホルダ１を左縦パイプ２２１に取り付ける場合等について説明した。しかし、ケーブルホルダ１を左縦パイプ２２１に取り付ける方法は、これに限らない。ケーブルホルダ１と左縦パイプ２２１との一方に雄ねじ、他方に雌ねじを設けて取り付けても良い。また、クランプにケーブルホルダを取り付け、クランプで左縦パイプ２２１を締め付けることで取り付けても良い。また、両面テーブル、面ファスナー、接着剤を使って取り付けても良い。
【００５１】
上述した実施形態では、第１通路３、保持孔４を一つ設ける場合について説明したが、第１通路３、保持孔４の数は一つに限らず、複数設けて良い。例えば、ドラムキー８０用に加え、図６（ａ）に示す第２端子７２用と、図６（ｂ）に示すドライバＤ用とを設けるようにしても良い。この場合は、ドラムキー８０と、ケーブル７３と、第２端子７２と、ドライバＤとをケーブルホルダ１で保持できる。また、この場合、第２端子７２を保持する孔と、ドライバＤを保持する孔とをケーブル孔６に連通させても良い。
【００５２】
上述した実施形態では、ケーブルホルダ１を、左縦パイプ２２１に上下２個、右縦パイプ２３１に上下２個、合計４個、取り付ける場合について説明したが、これに限定されない。ケーブルホルダ１を取り付ける位置は任意であり、例えば、中央支柱２１、左右の支柱２２，２３でも良く、左右の縦パイプ２２１，２３１に連結されている各パッドが連結されている横アームであっても良い。また、取り付ける数も任意であり、１以上であれば良い。
【符号の説明】
【００５３】
１        ケーブルホルダ
２        ベース
３        第１通路
４        工具孔（保持孔の一例）
５        第２通路
６        ケーブル孔
７        取着孔（取着部の一例）
８        仕切壁
１０      電子ドラムセット（電子打楽器セットの一例）
３２      第１タム（電子打楽器の一例）
７３      ケーブル
２２１    左縦パイプ（フレームの一例）
２３１    右縦パイプ（フレームの一例）
【図１】
2014092589.tif 000003
【図２】
2014092589.tif 000004
【図３】
2014092589.tif 000005
【図４】
2014092589.tif 000006
【図５】
2014092589.tif 000007
【図６】
2014092589.tif 000008